(57)【要約】【課題】ランプのアウターリードの変形に伴う接触不良及びランプへの空気の流入又は前記ランプからのガスの流出を抑制することで、前記ランプの発光不良、輝度低下の発生を抑え、バックライト装置の輝度のむら、輝度の低下を抑制する。【解決手段】内部にガスが封入されたバルブ３１の端部を保持するバルブ保持部６２と、バルブ３１の端部に配置されたリード線３３に電気を供給する給電部７とを備えたランプコネクタ６であって、バルブ保持部６２は、バルブ３１を押し込むことで弾性的に拡開され、バルブ３１の外周を挟持する一対のクランプ部６２１を有し、給電部７はリード線３３と接触するリード接触部７１と、拡開動作と連動するようにクランプ部６２と係合された係合部７２とを備えている。【選択図】図３
2010257862.tif 000002
【特許請求の範囲】
【請求項１】
内部にガスが封入されたバルブの端部を保持するバルブ保持部と、
前記バルブの端部に配置されたリード線に電気を供給する給電部とを備えたランプコネクタであって、
前記バルブ保持部は、前記バルブを押し込むことで弾性的に拡開され、前記バルブの外周を挟持する一対のクランプ部を有し、
前記給電部は弾性変形可能で、前記リード線と接触するリード接触部と、前記リード接触部に形成され、前記拡開と連動するように前記クランプ部と係合された係合部とを備えていることを特徴とするランプコネクタ。
【請求項２】
前記一対のクランプ部には拡開する部分に前記クランプ部から遠ざかるにつれて広がる傾斜を有するバルブ導入部が形成されている請求項１に記載のランプコネクタ。
【請求項３】
前記リード接触部は、前記リード線を前記バルブ押し付け方向と直交又は交差する方向に押圧するように形成された接触部を備えており、
前記係合部が前記接触部に連結して形成されている請求項１又は請求項２に記載のランプコネクタ。
【請求項４】
前記接触部は前記リード線を挟持するように一対で備えられており、
前記係合部が前記一対の接触部の少なくとも一方と連結して形成されている請求項３に記載のランプコネクタ。
【請求項５】
前記係合部が前記一対の接触部のそれぞれと連結して形成されている請求項４に記載のランプコネクタ。
【請求項６】
請求項１から請求項５のいずれか一項に記載のランプコネクタを用いてランプを保持しているバックライト装置。
【請求項７】
前記バルブの中間部を前記バルブ保持部と同形状の支持部で支持する請求項６に記載のバックライト装置。
【請求項８】
請求項６又は請求項７に記載のバックライト装置を用いた液晶表示装置。
【発明の詳細な説明】
【技術分野】
【０００１】
ランプを保持するランプコネクタ及びこのランプコネクタを用いたバックライト装置、並びにこのバックライト装置を用いた液晶表示装置に関するものである。
【背景技術】
【０００２】
液晶表示装置は液晶パネルの背面に配置されたバックライト装置より出射された光を、前記液晶パネルで部分的に遮断し、前記液晶パネルの正面側に映像を表示するものである。大型の液晶表示装置では前記液晶パネルの背面にランプ等を用いた光源を並べて配置する直下型のバックライト装置が利用されている場合が多い。
【０００３】
前記ランプ及びバックライト装置について図面を参照して説明する。図１２は従来のバックライト装置に採用されているランプコネクタにランプを取り付けた状態の拡大断面図であり、図１３は図１２と直交する線で切断した拡大断面図であり、図１４は従来のランプコネクタにランプを取り付ける手順を示す図である。なお、図１２では、便宜上ランプの一方の端部のみを図示しており、図示しない側の端部も同様のランプコネクタに取り付けられている。図１２に示すようにランプ３は、ガラスで製造された円筒状のバルブ３１と、バルブ３１の両端部に形成され、バルブ３１を封止する封止部３２と、封止部３２を貫通するリード線３３とを有している。
【０００４】
リード線３３はバルブ３１の内部に配置されたインナーリード３３１と、バルブ３１の外部に突出したアウターリード３３２とを有している。ランプ３はバルブ３１の内部において、両端部のインナーリード３３１の間で放電させて発光するものである。ランプ３の内部には適量の水銀と不活性ガス(アルゴン、ネオン、混合ガスなど)が封入されており、内部気圧は大気中よりも低く維持されている。リード線３３は封止部３２にはんだ付けにて固定されている。リード線３３と封止部３２とをはんだ付けすることで、バルブ３１の内部の気密性を確保している。
【０００５】
図１２、１３に示すように、バックライト装置において、ランプ３は両端部がランプコネクタ９６を介して取り付けられている。ランプコネクタ９６は矩形状の底面を有し、底面の３辺より立設された樹脂製ハウジング９６１と、ハウジング９６１の底面の中央部より突出されアウターリード３３２を挟んで保持する金具９６２とを有している。金具９６２は弾性力を有する金属で形成されており、突出方向に延びる線を挟んで対称に形成された形状を有している。一対の金具９６２は、アウターリード３３２を挟んで保持するとともに、リード線３３に電力を供給する役目も果たしている。
【０００６】
図１４に示すようにランプ３の取り付けは、金具９６２の間隙の端部にアウターリード３３２を配置し、バルブ３１を押圧してアウターリード３３２を金具９６２の間隙に押し込むことでなされる。このとき、アウターリード３３２は、金具９６２から大きな力を受けることが多い。アウターリード３３２に大きな力が作用した場合、リードに間隙が形成されると、バルブ３１の内部は大気中よりも気圧が低いので大気中の空気がバルブ３１の内部に流入する。ランプ３が発光不良となり、バックライト装置の輝度の低下や輝度むらが発生することがありえる。また、アウターリードが曲がったり、変形したりすると、給電部との接触不良の要因となる懸念がある。
【０００７】
そこで、金具をアウターリードよりも広くなるように形成し、アウターリードを金具の間隙に配置した状態で、別途用意された固定部材を用いて金具を閉じ、金具でアウターリードを挟持するものが提案されている（特開２００７−４８７１５号公報、特開２００７−９５６７１号公報等参照）。前記固定部材を用いて前記金具を閉じることで、前記ランプを取り付けるとき、アウターリードに大きな力が付勢されるのを抑制でき、前記リード線と前記封止部との間に間隙が形成されるのを抑制することが可能である。これにより、前記間隙からランプ内部への空気の流入を抑えることができる。
【０００８】
さらに、ランプのガラス管の両側端部に導電性を有する口金を取り付け、口金とリード線とを電気的に接続し、口金を金具で保持することで電気的に接続するものもある（特開２００７−３１１２６０号公報等参照）。この構成では、前記金具から前記口金に大きな力が作用するが、口金はランプにランプに取り付けられているので、前記リード線に大きな力が作用しにくい。よって、前記リード線と前記封止部との間に間隙が形成されるのを抑制することができ、ランプ内部への空気の流入を抑えることができる。
【先行技術文献】
【特許文献】
【０００９】
【特許文献１】特開２００７−４８７１５号公報
【特許文献２】特開２００７−９５６７１号公報
【特許文献３】特開２００７−３１１２６０号公報
【発明の概要】
【発明が解決しようとする課題】
【００１０】
しかしながら、特開２００７−４８７１５号公報、特開２００７−９５６７１号公報に記載の発明では、ランプの取り付け部に金具以外に別途、固定部材が必要であり、ランプ取り付け部の構成が複雑になる。また、前記固定部材を金具に取り付ける工程が必要となり、ランプ取り付けの作業性が悪い。
【００１１】
そして、特願２００７−３１１２６０号公報に記載の発明のように、口金を取り付けるものの場合、口金を金具で保持するのでリード線に付勢される力が低減され、リード線とガラス管との間の間隙が発生するのを抑制することは可能であるが、口金を新たに準備し、取り付けなくてはならず、それだけ、多くの手間と時間が必要となる。また、口金とアウターリードとが電気的に接続不良となる場合もあり、電力が十分に供給されず発光不良となり、輝度低下、輝度むらが発生することもありえる。
【００１２】
そこで本発明は、特別な部材や冶具を必要とせず、簡単且つ確実な方法でランプを装着することができ、しかも、ランプの発光不良、輝度低下を抑制できるランプホルダ及び輝度むらを抑えたバックライト装置並びに液晶表示装置を提供することを目的とする。
【課題を解決するための手段】
【００１３】
上記目的を達成するために本発明は、内部にガスが封入されたバルブの端部を保持するバルブ保持部と、前記バルブの端部に配置されたリード線に電気を供給する給電部とを備えたランプコネクタであって、前記バルブ保持部は、前記バルブを押し込むことで弾性的に拡開され、前記バルブの外周を挟持する一対のクランプ部を有し、前記給電部は弾性変形可能で、前記リード線と接触するリード接触部と、前記リード接触部に形成され、前記拡開と連動するように前記クランプ部と係合された係合部とを備えている。
【００１４】
この構成によると、前記ランプを前記ランプホルダに装着するとき、前記クランプ部の拡開動作に連動する係合部を備えたリード接触部が変形する。前記バルブを前記クランプ部を押す力で前記リード接触部を変形させるので、前記リード線が前記リード接触部を押し、前記リード線に無理な力が作用するのを抑制し、前記リード線自体の曲がりや変形を抑制することができる。そして、ランプ装着後、前記リード接触部は弾性力により前記リード線に押し付けられる。前記リード線が変形することなく、前記リード接触部と確実に接触されるので、前記リード線への電気の供給を安定して行うことができ、ランプの輝度低下、ばらつきを抑えることができる。
【００１５】
また、前記ランプの前記リード線が取り付けられている部分の破損を抑制することができ、破損部より外気が前記バルブ内部に流入したり、前記バルブ内のガスが外部に流出したりするのを抑制することができる。ランプの発光不良を抑制することができる。
【００１６】
さらに、前記給電部と前記リード線との接触を避けるための工程を必要としないので、それだけ、製造にかかる手間と時間を削減することが可能である。さらに、前記バルブを前記クランプ部に押し込むだけの簡単な方法で取り付けできるので、取り付け作業による前記ランプ取り付けの精度のばらつきを抑制することができる。
【００１７】
上記構成において、前記一対のクランプ部には拡開する部分に前記クランプ部から遠ざかるにつれて広がる傾斜を有するバルブ導入部が形成されていてもよい。この構成によると、前記バルブを押し込むときに、前記バルブからの力を効果的且つ安定して前記クランプ部が拡開する力に変換することができる。これにより、ランプ取り付けの作業を容易にすることが可能である。
【００１８】
前記リード接触部は、前記リード線を前記バルブ押し付け方向と直交又は交差する方向に押圧するように形成された接触部を備えており、前記係合部が前記接触部に連結して形成されていてもよい。この構成によると、前記バルブが完全に装着される前に前記接触部が前記リード線と接触しても、前記リード線に作用する力を低減することができ、リード線自体の変形を抑制することができるとともに、ランプへの外気の流入又はガスの流出によるランプの発光不良を抑制することができる。
【００１９】
上記構成において、前記接触部は前記リード線を挟持するように一対で備えられており、前記係合部が前記一対の接触部の少なくとも一方と連結して形成されていてもよく、前記係合部が前記一対の接触部のそれぞれと連結して形成されていてもよい。
【００２０】
上記構成のランプコネクタを用いてランプを保持するものとして、バックライト装置を挙げることができる。このバックライト装置において、前記バルブの中間部を前記バルブ保持部と同形状の支持具で支持するようにしてもよい。このバックライト装置を用いることで、前記ランプが発光不良、輝度低下しにくいので、輝度むらが発生しにくい。
【００２１】
上述のバックライト装置は液晶表示装置のバックライトとして用いられるものを挙げることができる。
【発明の効果】
【００２２】
本発明によると、特別な部材や冶具を必要とせず、簡単且つ確実な方法でランプを装着することができ、しかも、ランプの発光不良、輝度低下を抑制できるランプホルダ提供することができる。
【００２３】
また、前記リード線自体の変形や、前記ランプへの空気の流入又は前記ランプからのガスの流出を抑制することで、前記ランプの発光不良、輝度低下を抑え、輝度のむら、輝度の低下が発生しにくいバックライト装置及びバックライト装置を備えた液晶表示装置を提供することが可能である。
【図面の簡単な説明】
【００２４】
【図１】本発明にかかる液晶表示装置の一例の断面図である。
【図２】本発明にかかるバックライト装置一例の正面図である。
【図３】本発明にかかるランプコネクタの斜視図である。
【図４】図３に示すランプコネクタにランプを取り付けた状態の断面図である。
【図５】図３に示すランプコネクタの側面図である。
【図６】ランプを取り付ける前のランプとランプコネクタの図である。
【図７】ランプをランプコネクタの挿入口が拡開した状態のランプとランプコネクタの図である。
【図８】ランプコネクタにランプが取り付けられた状態のランプとランプコネクタの図である。
【図９】ランプコネクタにランプを取り付けるときの保持部に対するランプの位置と、挿入口の開口量及び給電部の一対の接触部同士の距離との関係を示す図である。
【図１０】本発明にかかるランプコネクタの他の例の側面図である。
【図１１】本発明にかかるランプコネクタのさらに他の例の側面図である。
【図１２】従来のバックライト装置に採用されているランプコネクタにランプを取り付けた状態の拡大断面図である。
【図１３】図１２と直交する線で切断した拡大断面図である。
【図１４】従来のランプコネクタにランプを取り付ける手順を示す図である。
【発明を実施するための形態】
【００２５】
以下に本発明の実施形態を図面を参照して説明する。図１は本発明にかかる液晶表示装置の一例の断面図であり、図２は本発明にかかるバックライト装置一例の正面図である。
【００２６】
図１に示すように、液晶表示装置はバックライト装置ＢＬと液晶パネルＤＰとを有している。液晶表示装置において、フレームに取り付けられた液晶パネルＤＰが、バックライト装置ＢＬの前面側に取り付け固定すされている。
【００２７】
図１、図２に示すようにバックライト装置ＢＬは少なくともシールド１、反射板２、ランプ３、拡散板４、ランプ保持具５、ランプコネクタ６を備えている。シールド１は正面側が開放された矩形状の筐体であり、内部に反射板２及び複数本のランプ３とが配置されている。反射板２はランプ３より出射された光を反射するものであり、白色の反射面を有するシート状の部材である。反射板２はシールド１の底面の所定の位置に位置決め固定されている。
【００２８】
ランプ３は棒状の発光体であり、バックライト装置ＢＬの光源である。図１、図２に示すように、バックライト装置ＢＬには複数本のランプ３が備えられており、ランプ３はバックライト装置ＢＬの長辺と平行で、且つ、短辺方向に配列されている。
【００２９】
シールド１には開放部を覆うように拡散板４が配置されている。拡散板４はランプ３より出射された光及びランプ３より出射され反射板２で反射された光を拡散させている。拡散板４を透過した光は液晶パネルＤＰに入射する。
【００３０】
ランプ保持具５は、ランプ３の自重等の静荷重によるたわみや振動等の動荷重による変形を抑制するために、ランプ３の中間部を保持する保持部材である。ランプコネクタ６はランプ３の両端部を保持するとともに、ランプ３に電力を供給する。図２に示すバックライト装置ＢＬにおいて、ランプ３はその中間部の２箇所をランプ保持具５に、両端部をランプコネクタ６にそれぞれ保持されている。ランプ保持具５及びランプコネクタ６はシールド１に固定されている。ランプ保持具５は、ランプ３より出射された光が反射できるように白色で円滑な表面を有している。
【００３１】
本発明の要部であるランプコネクタの詳細について、図面を参照して説明する。図３は本発明にかかるランプコネクタの斜視図であり、図４は図３に示すランプコネクタにランプを取り付けた状態の断面図であり、図５は図３に示すランプコネクタの側面図である。以下の説明において、ランプコネクタの説明において特に指定しない場合、図５の上下左右を基準とする。
【００３２】
まず、ランプコネクタ６に取り付けられるランプ３について説明する。図４に示すように、バックライト装置ＢＬに用いられるランプ３は冷陰極管を用いた放電ランプである。ランプ３はガラスで形成された円筒形状のバルブ３１と、バルブ３１の両端部に形成され、バルブ３１の内部を封止した封止部３２と、封止部３２を貫通する金属製のリード線３３とを備えている。
【００３３】
リード線３３は、ランプ３の内部に配置されたインナーリード３３１と、ランプ３の外部に突出したアウターリード３３２とを備えている。リード線３３は封止部３２にはんだ付けされており、ランプ３の内部の気密性が確保されている。ランプ３の内部には適量の水銀ガスと不活性ガス（アルゴン、ネオン、混合ガス等）が封入されている。ランプ３の内部の気圧は大気中よりも低く維持されている。ランプ３は両端部のリード線３３に電力を供給し、両端部のインナーリード３３２間で放電することで発光する。
【００３４】
図３、４、５に示すようにランプコネクタ６は、ベース部６１と、ベース部６１に配置されランプ３のバルブ３１を保持する保持部６２と、ベース部６１に取り付けられアウターリード３３２と接触し、電力を供給する給電部７とを備えている。ベース部６１及び保持部６２はランプ３から出射された光の反射効率を高めるため、表面が円滑で白色又は透明な樹脂で形成されている。
【００３５】
ベース部６１は平板部材である。保持部６２はベース部６１に立設された支柱部６２０を介して、ベース部６１に取り付けられている。保持部６２は弾性変形可能で左右からバルブ３１を覆う一対のクランプ部６２１を備えている。一対のクランプ部６２１は湾曲して形成されており、下側が連結して形成されているとともに、上側の先端は互いに分離して形成されている。クランプ部６２１は内側にバルブ３１の外周面の周方向と接触可能な曲面を備えている。
【００３６】
また、一対のクランプ部６２１それぞれの上側の先端には、上方に向かって広がる一対のバルブ導入部６２２が連結形成されている。ランプコネクタ６において、保持部６２は樹脂の一体成型にて形成される部材であるが、それに限定されず、複数の部材を組み立てて形成されてもよい。
【００３７】
保持部６２は、一対のクランプ部６２１が広がる方向に変形したときに拡開され、ランプ３のバルブ３１が挿入される挿入口６２３が形成されている。挿入口６２３は、保持部６２の上部（換言すると、支柱部６２０と接続されている部分の反対側の部分）に配置されている。図５に示すように、ランプコネクタ６にランプ３が装着されていないとき、挿入口６２３の隙間はランプ３の外径よりも小さい。なお、保持部６２として、挿入口６２３が閉じるように形成されていてもよい。
【００３８】
なお、ランプ３の中間部を保持するランプ保持具５の構成として、ランプコネクタ６のベース部６１と保持部６２とを備えたものを用いることが可能である。ランプ保持具５とランプコネクタ６の一部とを共通化することで部材の設計、製造及びランプ３の取り付けを容易に行うことが可能である。また、共通の部材を用いてランプ３を保持することで、バルブ３１保持部分のシールド１に対する距離を一定に保つことができ、バルブ３１に無理な力がさようすることによる輝度むらの発生を抑えることができる。
【００３９】
次に給電部７について説明する。給電部７はリード線３３に電力を供給するものであり、導電性を有する材料（ここでは、金属）で形成されている。さらに説明すると、給電部７は金属板を切り曲げて作製され、保持部６２と近接した位置に保持部６２と並んでベース部６１に固定されている。給電部７はベース部６１に固定された基礎部７０と、基礎部７０から立設されたリード接触部７１とを備えている。リード接触部７１はランプコネクタ６にランプ３が取り付けられたとき、ランプ３のアウターリード３３２を挟持する一対の接触部７１１を備えている。また、図４に示すように、基礎部７０はベース部６１を貫通する端子が形成されており、端子より電気が供給される。
【００４０】
リード接触部７１は弾性的に変形可能であり、リード接触部７１が弾性的に変形することで一対の接触部７１１が接近離反する。なお、接触部７１１もリード接触部７１と同様に弾性変形可能である。図５に示すように、ランプコネクタ６にランプ３が取り付けられていないとき、アウターリード３３２を確実に挟持できる間隔（たとえば、アウターリード３３２の外径よりも小さい隙間）をあけて配置されている。なお、ランプ３がランプコネクタ６に取り付けられていない状態のとき、一対の接触部７１１同士が接触するように形成されていてもよい。
【００４１】
また、一対の接触部７１１のそれぞれには保持部６２と接触する一対の係合部７２が連結形成されている。なお、給電部７において、一対の接触部７１１と係合部７２とは一体で形成されているが、これに限定されるものではなく、係合部７２と接触部７１１と別体で形成され、溶着等の方法で強固に連結されていてもよい。
【００４２】
また、図５に示すように係合部７２として、クランプ部６２１とバルブ導入部６２２との境界部分の外側に接触配置されているものが示されているが、これに限定されるものではない。係合部７２の保持部６２との係合箇所として、たとえば、クランプ部６２１に挿入されているもの、バルブ導入部６２２とだけ接触するもの等、クランプ部６２１の拡開変形に同期でき、ランプ３を装着するときに一対の接触部７１１がアウターリード３３２の移動の邪魔にならないように変形できるものを広く採用することができる。
【００４３】
クランプ部６２１が開く方向に弾性変形するとき、係合部７２はクランプ部６２１とともに移動する。このとき、係合部７２と連結されている一対の接触部７１１もクランプ部６２１の拡開と同じ方向に弾性的に拡開変形する。このとき、リード接触部７１及び一対の接触部７１１いずれもが弾性的に変形する。
【００４４】
ランプコネクタ６にランプ３を取り付ける手順について図面を参照して説明する。図６はランプを取り付ける前のランプとランプコネクタの図であり、図７はランプをランプコネクタの挿入口が拡開した状態のランプとランプコネクタの図であり、図８はランプコネクタにランプが取り付けられた状態のランプとランプコネクタの図である。なお、図６〜図８はランプ３及びランプコネクタ６をランプ３のアウターリード３３２側から見た図である。
【００４５】
図６に示すように、まず、ランプ３のバルブ３１をランプコネクタ６のバルブ導入部６２２に接触させる。このとき、ランプ３のアウターリード３３２は給電部７の上部に配置される。バルブ３１がバルブ導入部６２２に接触している状態で、ランプ３をベース部６１に向けて押す。このとき、バルブ導入部６２２はランプ３を押す力の方向に対して傾いているので、ランプ３からバルブ導入部６２２に作用するランプ３を押し込む方向の力が分散され、バルブ導入部６２２には、一対のバルブ導入部６２２を遠ざける方向の力が付勢される。
【００４６】
ランプ３からバルブ導入部６２２に作用する力が所定の力よりも大きくなると、バルブ導入部６２２同士を遠ざける方向に作用する力でクランプ部６２１が変形される。クランプ部６２１が変形することで挿入口６２３が拡開され、バルブ３２が保持部６２の内側に移動する。このとき、保持部６２と係合されている係合部７２にも力が作用し、その力が係合部７２を介して一対の接触部７１１に作用する。これにより、リード接触部７１及び一対の接触部７１１は、一対の接触部７１１が開く方向に変形される（図７参照）。バルブ３１が押される力で保持部６２を変形させ、その変形と同期して給電部７の一対の接触部７１１が開くので、アウターリード３３２には無理な力が作用しない。
【００４７】
バルブ３１の半分以上が保持部６２の奥に挿入されると、クランプ部６２１の復元力（弾性力）によって、クランプ部６２１とバルブ導入部６２２との境界部は、バルブ３１に沿って互いに接近するように変形する（元の形状に戻る）。これにより、挿入口６２３の開口量は小さくなる。
【００４８】
図８に示すように、ランプ３が完全に保持部６２に保持されたとき、クランプ部６２１は挿入口６２３がわずかに開くようにバルブ３１を覆っている。クランプ部６２１は完全に元の形状（ランプ３を取り付ける前の形状）に戻っておらず、バルブ３１の外周を締め付ける。クランプ部６２１がバルブ３１を締め付けることで、ランプ３はしっかり保持され、バックライト装置ＢＬ或いは液晶表示装置に衝撃や振動が作用してもランプ３が移動するのを抑制することができる。
【００４９】
クランプ部６２１が元の形状に復元するとき、クランプ部６２１と係合していた係合部７２もクランプ部６２１の変形に伴って移動する。リード接触部７１及び一対の接触部７１１もその弾性力によってクランプ部６２１の変形と同期して元の形状に戻るように変形する。すなわち、バルブ３１が保持部６２に保持されたとき、アウターリード３３２も一対の接触部７１１に挟まれる。
【００５０】
ランプコネクタ６にランプ３を装着するときの保持部６２と給電部７との関係について図面を参照して説明する。図９はランプコネクタにランプを取り付けるときの保持部に対するランプの位置と、挿入口の開口量及び給電部の一対の接触部同士の距離との関係を示す図である。なお、図９に示す図は、縦軸に距離、横軸にランプのランプコネクタへの装着度（すなわち、ランプ３が装着されていないときが０で、完全に装着されたときが１０）を示している。なお、挿入口６２３の開口量は折れ線Ｏｒで、一対の接触部７１１同士の距離は折れ線Ｄｓ及びＤｓ２で示している。
【００５１】
図９の折れ線Ｏｒで示すように、ランプ３のバルブ３１が保持部６２に装着されていないとき、すなわち、装着度が０のとき、挿入口６２３の開口量はａ１である。開口量ａ１はバルブ３１の外径よりも小さい。バルブ３１が押され、一対のバルブ導入部６２２を押すと、一対のクランプ部６２１が弾性変形し、挿入口６２３の開口量が大きくなる。なお、ここでは説明の便宜上、開口量を示す折れ線Ｏｒは一次関数的に変化するものを示しているが、それには限定されない。
【００５２】
そしてバルブ３１の装着度が５（バルブ３１が半分装着された状態）のとき、挿入口６２３の開口量はａ２になる。開口量ａ２はバルブ３１の外径と同じ又は略同じ大きさである。このとき、挿入口６２３はもっとも開いた状態である。バルブ３１の装着度が５を超えると、クランプ部６２１の端部がバルブ３１の反対側に回り込むので、挿入口６２３の開口量Ｏｒは徐々に小さくなっていく。そして、バルブ３１の装着度が１０になったとき、挿入口６２３の開口量はａ３となる。装着度１０のときの開口量ａ３は装着度０のときの開口量ａ１よりも大きくなっている。すなわち、クランプ部６２１は完全に元の形状に戻っておらず、元の形状に戻ろうとする弾性力でバルブ３１を保持している状態である。
【００５３】
一方、給電部７もバルブ３１の装着度によって、一対の接触部７１１の距離が折れ線Ｄｓに示すように変化する。バルブ３１の装着度が０（バルブ３１が装着されていない）とき、一対の接触部７１１同士の距離はｂ１である。距離ｂ１はアウターリード３３２の外径よりも小さい。折れ線Ｄｓで示されているように、バルブ３１が押され、装着度が上がるにつれて、一対の接触部７１１の距離が広がる。なお、一対の接触部７１１同士の距離を示す折れ線Ｄｓは挿入口６２３の開口量を示す折れ線Ｏｒと同じく、一次関数的に変化しているが、それに限定されない。
【００５４】
そして、バルブ３１の装着度が５（バルブ３１が半分装着された状態）のとき、一対の接触部７１１の距離はｂ２になる。距離ｂ２はアウターリード３３２の外径よりも大きく、この時点において、アウターリード３３２と一対の接触部７１１とは接触しない。バルブ３１の装着度が５を超えると、一対のクランプ部６２１が接近する動作にあわせて、一対の接触部７１１の距離も小さくなる。距離を示す折れ線Ｄｓは減少するときも、一次関数的に変化しているが、それに限定されるものではない。
【００５５】
バルブ３１が保持部６２に完全に装着され、装着度が１０に達したとき、一対の接触部７１１同士の距離はｂ３となる。距離ｂ３はアウターリード３３２の外径と同じ大きさである。すなわち、バルブ３１が完全に装着されたときに、アウターリード３３２は一対の接触部７１１で挟持される。
【００５６】
ランプコネクタ６において、ランプ３のランプコネクタ６への装着完了とともに、一対の接触部７１１がアウターリード３３２を挟持するように給電部７が形成されている。これにより、アウターリード３３２は接触部７１１より大きな力を受けにくく、アウターリード３３２が外部からの力で曲がったり、変形したりしにくい。また、ランプ３がランプコネクタ６に装着されるとき、アウターリード３３２が受ける力が小さいので、リード線３３と封止部３２との剥離を抑制することができる。これにより、外気がランプ３の内部に流入したり、ランプ３の内部のガスが外部に流出し、ランプ３の発光不良を抑制できる。
【００５７】
そして、バルブ３１が保持部６２に完全に装着された後の挿入口６２３は、装着前よりも大きくなっている。装着前の一対の接触部７１１同士の距離ｂ１はアウターリード３３２の外径よりも小さく、装着後の一対の接触部７１１同士の距離が距離ｂ３となるように設定されている。一対の接触部７１１はアウターリード３３２に押し当てられ、給電部７からリード線３１への電気の安定供給が可能であり、ランプ３の輝度低下を抑制することができる。なお、リード接触部７１は保持部６２の変形と同期して変形し、一対の接触部７１１がアウターリード３３２を両側から挟持するので、アウターリード３３２に無理な力がかかりにくい。
【００５８】
なお、ランプ３が装着される前の一対の接触部７１１同士の距離を距離ｂ１よりも小さくすることもできる。このときの一対の接触部７１１同士の距離を折れ線Ｄｓ２で図９に示している。
【００５９】
図９示すように、ランプ３の装着度が０のとき、一対の接触部７１１同士の距離はｃ１となっている。距離ｃ１は距離ｂ１よりも短い。バルブ３１が押し込まれ装着度が上がるにつれて、一対の接触部７１１同士の距離は広がり、装着度が５の時に最大、距離ｃ２となる。距離ｃ２はアウターリード３３２の外径よりも大きく、バルブ３１を挿入するときにアウターリード３３２に力が作用しない。
【００６０】
そして、バルブ３１が保持部６２に完全に装着される前（装着度が１０に到達する前、ここでは装着度９のとき）に、一対の接触部７１１同士の距離が距離ｂ３に到達する。上述したように、距離ｂ３はアウターリード３３２の外径と同じ大きさである。すなわち、バルブ３１が完全に保持される前に、アウターリード３３２が一対の接触部７１１に挟持される。
【００６１】
リード接触部７１及び一対の接触部７１１は元の形状に戻るように変形しようとするが、一対の接触部７１１がアウターリード３３２を保持しており、変形が停止する。一方で、折れ線Ｏｒに示すように挿入口６２３の開口量は装着度が１０に達するまで減少を続ける。これにより、装着度９を超えると、係合部７２が保持部６２から離れる。これにより、係合部７２を介して保持部６２で支えていた、リード接触部７１及び一対の接触部７１１が元の形状に戻ろうとする力が、アウターリード３３２に作用する。
【００６２】
アウターリード３３２が一対の接触部７１１で挟持された後、アウターリード３３２には一対の接触部７１１から、バルブ３１の装着方向（ここでは下向き）と逆方向（ここでは上向き）の力が作用する。この逆方向の力は一対の接触部７１１同士を距離ｃ１から距離ｂ３に開いたときの弾性力による一対の接触部７１１とアウターリード３３２との摩擦力であり、アウターリード３３２を変形させたり、封止部３２とリード線３３とを剥離させたりするほどの力ではない。よって、アウターリード３３２が変形することによる接触不良や、封止部３２とリード線３３との隙間からバルブ３１の内部に外気が流入又は内部のガスが外部に流出することによるランプ３の輝度低下、発光不良を抑制できる。
【００６３】
一対の接触部７１１の距離はランプ３装着前の距離よりも開かれており、アウターリード３３２が一対の接触部７１１に挟持されている。ランプ３がランプホルダ６に完全に装着されたとき、アウターリード３３２と一対の接触部７１１とを確実に接触させることができる。さらに、アウターリード３３２の外径が所定の外径よりも細い等の不具合があっても、一対の接触部７１１とアウターリード３３２とを確実に接触させることができる。これにより、給電部７からリード線３３（すなわち、ランプ３）に安定して電力を供給することができ、ランプ３の発光不良、輝度低下を抑制できる。
【００６４】
なお、上述したようにランプ３がランプコネクタ６に装着されていないときの、一対の接触部７１１の大きさを変えることでランプ３がランプコネクタ６に装着されたときの、アウターリード３３２が一対の接触部７１１に挟持されるときの力を調整することが可能である。なお、ランプ３が装着されていないときの一対の接触部７１１同士の距離は、一対の接触部７１１がアウターリード３３２を挟持する力によってアウターリード３３２が変形せず、且つ、封止部３２とリード線３３との剥離がおきない程度の大きさとなるように、設定することが好ましい。
【００６５】
本発明にかかるランプコネクタの他の例について図面を参照して説明する。図１０は本発明にかかるランプコネクタの他の例の側面図である。図１０に示すランプコネクタ６ｂは給電部７ｂが異なる以外は、ランプコネクタ６と同じ構成を有している。実質上同じ部分には、同じ符号が付してあるとともに、実質上同じ部分の詳細な説明は省略する。
【００６６】
図１０に示すように、ランプコネクタ６ｂに備えられている給電部７ｂのリード接触部７１ｂは、係合部７２ｂが形成された左リード接触部７１ｂＬと、ランプ３が装着されるとき、アウターリード３３２と接触するように配置された右リード接触部７１ｂＲとを備えている。バルブ３１が保持部６２に装着されるとき、係合部７２ｂによって、左リード接触部７１ｂＬが、右リード接触部７１ｂＲから離れるように変形する。その後、バルブ３１の装着が完了したとき又は略完了したとき左リード接触部７１ｂＬが元の形状に戻り、左リード接触部７１ｂＬ、右リード接触部７１ｂＲに備えられている接触部７１１でアウターリード３３２が挟持される。給電部６ｂによってアウターリード３３２に作用する力が低く、アウターリード３３２の変形を抑制することができる。これにより、接触部７１１とアウターリード３３２との接触不良を抑制し、電力を安定供給することができ、ランプ３の発光不良、輝度低下を抑制できる。
【００６７】
ランプコネクタ６ｂは一左リード接触部７１ｂＬが開くので、ランプ３が装着されるとき、アウターリード３３２にリード線３３と封止部３２とが剥離するくらいの大きな力が作用するのを抑制することが可能である。これにより、ランプ３の発光不良を抑制することが可能である。そして、係合部を一方のリード接触部にだけに形成するので、給電部が簡単であり、給電部の製造、ベース部への組み付けが容易である。
【００６８】
本発明にかかるランプコネクタのさらに他の例について図面を参照して説明する。図１１は本発明にかかるランプコネクタのさらに他の例の側面図である。図１１に示すランプコネクタ６ｃはリード接触部７ｃが異なる以外は、ランプコネクタ６と同じ構成を有している。実質上同じ部分には、同じ符号が付してあるとともに、実質上同じ部分の詳細な説明は省略する。
【００６９】
図１１に示すように、ランプコネクタ６ｃの給電部７ｃはアウターリード３３２と一方向から接触する片持ちのリード接触部７１ｃを備えている。リード接触部７１ｃは接触部７１２ｃを備えている。また、リード接触部７１ｃは保持部６２の外面部と係合された係合部７２ｃを備えている。
【００７０】
ランプ３のバルブ３１が保持部６２に装着されるとき、保持部６２は開くように変形する。リード接触部７１ｃは係合部７２ｃによって保持部６２と同期して変形する。ランプ３をランプコネクタ６ｃに装着するときのリード接触部７１ｃの変形によって、接触部７１２ｃがアウターリード３３２の移動の邪魔にならない位置に移動する。
【００７１】
リード接触部７１ｃはバルブ３１が保持部６２に装着されるときに、保持部６２の変形に伴って、弾性的に変形する。この変形はバルブ３１が保持部６２に装着されたときのアウターリード３３２から離れる方向である。バルブ３１が保持部６２に半分以上装着された後、保持部６２は閉じる方向に変形する。この変形にあわせてリード接触部７１ｃは接触部７１２ｃがアウターリード３３２に接近する。バルブ３１の保持部６２への装着の途中では、接触部７１２ｃはアウターリード３３２と接触しない。
【００７２】
バルブ３１が保持部６２の装着が完了した又は略完了したときに、リード接触部７１ｃの接触部７１２ｃがアウターリード３３２と接触する。このように、片側から接触部７１２ｃが接触する給電部７ｃを備えていることで、アウターリード３３２と接触部７１２ｃとが接触したときの接触部７１２ｃからアウターリード３３２に作用する力が小さくなる。アウターリード３３２が変形するのを抑制し、接触部７１２ｃとアウターリード３３２が確実に接触される。これにより、接触部７１２ｃからアウターリード３３２に電力を安定供給することができ、ランプの発光不良、輝度低下を抑制することができる。また、アウターリード３３２に作用する力が小さいので、封止部３２とリード線３３との剥離が発生しにくく、外気がランプ内部に流入したり、ランプ内部のガスが外部に流出したりするのを抑制し、ランプ３の発光不良を抑制することができる。
【００７３】
上述の実施形態において、保持部としてバルブの外周に密着する曲面を有するもので説明しているがそれに限定されるものではなく、たとえばバルブの外周面とバルブの軸線と平行な線で接触するもの、点で接触するもの、接触部の形状が平面であり、一部だけでバルブの外周面と接触するもの等、バルブを安定して保持することができるものを広く採用することができる。点、線で保持するものの場合、少なくともバルブの軸方向に重ならない３箇所以上を保持することが好ましい。
【００７４】
上述の各実施形態に記載のランプホルダを用いることで、バルブを保持部に押し付けるだけで、ランプをランプホルダに装着することができるので、従来必要であった、ランプ装着前にリード接触部の一対の接触部を開く工程が不要となる。これにより、ランプ取り付け精度のばらつきの発生を抑制することができ、バックライト装置及び液晶表示装置の輝度むらの発生を抑制することが可能である。
【００７５】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００７６】
本発明は、液晶表示装置等の背面に光源を備えたディスプレイ装置に利用することができる。
【符号の説明】
【００７７】
１  シールド
２  反射板
３  ランプ
３１  バルブ
３２  封止部
３３  リード線
３３１  インナーリード
３３２  アウターリード
４  拡散板
５  ランプ保持具
６  ランプコネクタ
６１  ベース部
６２  保持部
６２１  クランプ部
６２２  バルブ導入部
６２３  挿入口
７  給電部
７０  基礎部
７１  リード接触部
７１１  接触部
７２  係合部
【図１】
2010257862.tif 000003
【図２】
2010257862.tif 000004
【図３】
2010257862.tif 000005
【図４】
2010257862.tif 000006
【図５】
2010257862.tif 000007
【図６】
2010257862.tif 000008
【図７】
2010257862.tif 000009
【図８】
2010257862.tif 000010
【図９】
2010257862.tif 000011
【図１０】
2010257862.tif 000012
【図１１】
2010257862.tif 000013
【図１２】
2010257862.tif 000014
【図１３】
2010257862.tif 000015
【図１４】
2010257862.tif 000016